(57)【要約】【課題】一本の歯ブラシによって、歯の表側と裏側とを効率的に磨くことができ、かつ歯の裏側を磨く際に、歯茎近傍まで磨けるとともに、毛束に付着している水分等が飛び散ることもなく、快適に歯磨きをすることができる歯ブラシを提供する。【解決手段】基端部（ａ）が把持部（１０）とされる柄（１）の長手方向の先端部（ｂ）に、複数の毛束を植毛した植毛部（２）を有し、かつ、この植毛部の長手方向の全長の１／５以上であって、かつ１／２以下の範囲の基端部側の毛束を上記基端部に向けて傾斜させた傾斜植毛部（２１）とした。また、傾斜植毛部の毛に他の植毛部の毛よりも剛性をもたせるとともに、傾斜植毛部における上記毛束の植毛面を、上記柄の厚みを漸次上記基端部方向に向けて薄くし、或いは上記柄を屈曲させ、或いは上記柄を上記毛束の毛先方向に湾曲させることによって上記毛束の植毛方向に対して略直角に成形した。【選択図】図１
0003121238.tif 000002
【実用新案登録請求の範囲】
【請求項１】
基端部が把持部とされる柄の長手方向の先端部に、複数の毛束が植毛された植毛部を有する歯ブラシにおいて、上記植毛部は、上記基端部側に上記毛束が上記基端部に向けて傾斜する傾斜植毛部を有してなることを特徴とする歯ブラシ。
【請求項２】
上記傾斜植毛部は、上記植毛部の上記長手方向の全長の１／５以上であって、かつ１／２以下の範囲に形成されていることを特徴とする請求項１に記載の歯ブラシ。
【請求項３】
上記傾斜植毛部の毛は、他の上記植毛部の毛よりも剛性を有することを特徴とする請求項２に記載の歯ブラシ。
【請求項４】
上記傾斜植毛部における上記毛束の植毛面は、上記毛束の植毛方向に対して略直角に成形されていることを特徴とする請求項１ないし３のいずれか一項に記載の歯ブラシ。
【請求項５】
上記傾斜植毛部における上記毛束の植毛面は、上記柄の厚みを漸次上記基端部方向に向けて薄くすることにより形成されていることを特徴とする請求項４に記載の歯ブラシ。
【請求項６】
上記傾斜植毛部における上記毛束の植毛面は、上記柄を屈曲させることにより形成されていることを特徴とする請求項４に記載の歯ブラシ。
【請求項７】
上記傾斜植毛部における上記毛束の植毛面は、上記柄を上記毛束の毛先方向に凸状に湾曲させることにより成形されていることを特徴とする請求項４に記載の歯ブラシ。
【考案の詳細な説明】
【技術分野】
【０００１】
本考案は、歯を磨くための歯ブラシであって、特に、毛束を当接させにくい歯の裏側も容易に磨くことができる歯ブラシに関するものである。
【背景技術】
【０００２】
一般に、歯ブラシは、図７に示すように、直線状の柄８の長手方向の先端部ｂに、複数の毛束９９が植毛された植毛部９が形成され、かつ柄８の基端部ａが把持部１０とされるものが用いられている。
【０００３】
ところで、主な虫歯の原因となるのは、歯の裏側に付着している食べ滓や歯垢等であるとされているにも拘わらず、歯の裏側は、歯の表側よりも歯磨きが難しいとされている。
【０００４】
具体的には、上記歯ブラシを用いて歯の裏側を磨く場合、図８に示すように、植毛部９を口腔内に入れ、毛束９９の一部を歯の裏側に接触させ、繰り返し柄８を口腔内方向と口腔外方向との方向に交互に移動させても、一部の毛束９９又は一部の毛が歯の裏側の一部に当接するのみであって、歯の裏側全体を磨くことができない。このため、上記歯ブラシを用いて歯の裏側を磨いても、食べ滓や歯垢が完全に除去されず、磨き残しが生じてしまう。
【０００５】
そこで、歯の裏側を磨くことができる歯ブラシとして、例えば、特許文献１に示すように、柄の一端部に複数の毛束が垂直に植毛され、かつ柄の他端部をＵ字型に湾曲させるとともに、Ｕ字型に湾曲した当該他端部に複数の毛束を植毛した歯ブラシが提案されている。
【０００６】
この歯ブラシを用いた場合には、他端部に植毛された複数の毛束を用いて、Ｕ字型の湾曲を利用することにより、食べ滓や歯垢が残らないように歯の裏側を磨くことができる。
ところが、この歯ブラシを用いて、歯磨きをする際には、柄の一端部及び他端部に植毛された両方の毛束に歯磨き粉を付けて使用すると、口腔外にある一方の複数の毛束から歯磨き粉等が飛び散ってしまうという問題がある。そのため、一端部の複数の毛束に歯磨き粉を付け、歯の表面等を磨き、歯ブラシを洗浄した後に、Ｕ字型に湾曲した他端部の複数の毛束に歯磨き粉を付け、歯の裏側を磨く必要があり、煩わしさに耐えないという欠点がある。
【０００７】
そこで、特許文献２に示すように、柄の先端部側が二本に分枝するとともに、分枝した柄の先端部に、それぞれ内側に向けて複数の毛束が植毛されている植毛部を有する歯ブラシが提案されている。
【０００８】
この歯ブラシを用いた場合には、口腔外にある毛束から水分等が飛び散る恐れがないだけでなく、歯の表側と裏側とを同時に磨くことができる。
しかしながら、この歯ブラシを用いた場合には、柄の先端部の外回りが大きいために、毛束が狭い場所に入り込まず、奥歯を磨くことができないという問題がある。
【０００９】
その上、柄の先端部に設けられた植毛部の毛先同士の隙間が大きい場合には、実際に歯の表側と裏側とに同時に植毛部をフィットさせることが難しく、結局表側と裏側とを片方ずつ磨くことになるため、長時間に渡って大きく口を開けておかざるを得ないという欠点があった。他方、柄の先端部に設けられた植毛部の毛先同士の隙間が小さい場合には、歯を磨いている際に、植毛部が歯の頭頂部から一度抜けてしまうと、歯の頭頂部に毛束が当接し、速やかに相対峙する植毛部により歯を鋏むことができないという欠点がある。
【００１０】
このため、特許文献３に示すように、柄の先端部に複数の毛束が植毛された植毛部のうち最先端部に位置する毛束の毛を、漸次、最先端部に向けて長くした歯ブラシが提案されている。
【００１１】
この歯ブラシを用いた場合には、上記最先端部の毛束の毛先による傾斜面を利用して速やかに歯の裏側、特に奥歯の裏側まで磨くことができる。
しかしながら、この歯ブラシを用いても、歯の裏側の歯茎近傍まで磨くことができないという問題がある。また、特に、前歯の裏側を磨く際に、把持部側の毛束が口腔外に出やすく、毛先に付着した歯磨き粉等が飛び散りやすいという問題があった。
【００１２】
【特許文献１】特開平１１―４６８６２号公報
【特許文献２】特開２００３−２５０６３４号公報
【特許文献３】特表２００１−５２１４０７号公報
【考案の開示】
【考案が解決しようとする課題】
【００１３】
本考案は、かかる事情に鑑みてなされたもので、一本の歯ブラシによって、歯の表側と裏側とを効率的に磨くことができ、かつ歯の裏側を磨く際に、歯茎近傍まで磨けるとともに、毛束に付着している歯磨き粉等が飛び散ることもなく、快適に歯磨きをすることができる歯ブラシを提供することを課題とするものである。
【課題を解決するための手段】
【００１４】
上記課題を解決するために、請求項１に記載の考案は、基端部が把持部とされる柄の長手方向の先端部に、複数の毛束が植毛された植毛部を有する歯ブラシにおいて、上記植毛部が、上記基端部側に上記毛束が上記基端部に向けて傾斜する傾斜植毛部を有してなることを特徴とするものである。
【００１５】
請求項２に記載の考案は、請求項１に記載の歯ブラシにおいて、上記傾斜植毛部が、上記植毛部の上記長手方向の全長の１／５以上であって、かつ１／２以下の範囲に形成されていることを特徴とするものである。
【００１６】
請求項３に記載の考案は、請求項２に記載の歯ブラシにおいて、上記傾斜植毛部の毛は、他の上記植毛部の毛よりも剛性を有することを特徴とするものである。
ここで、上記傾斜植毛部の毛は、硬質のもの、又は短いもの、若しくはこれらの両者を兼ね備えるものを用いることによって他の植毛部の毛よりも剛性を有することができる。
【００１７】
請求項４に記載の考案は、請求項１ないし３のいずれか一項に記載の歯ブラシにおいて、上記傾斜植毛部における上記毛束の植毛面が、上記毛束の植毛方向に対して略直角に成形されていることを特徴とするものである。
【００１８】
請求項５に記載の考案は、請求項４に記載の歯ブラシにおいて、上記傾斜植毛部における上記毛束の植毛面が柄の厚みを漸次上記基端部方向に向けて薄くすることにより形成されていることを特徴とするものである。
【００１９】
請求項６に記載の考案は、請求項４に記載の歯ブラシにおいて、上記傾斜植毛部における上記毛束の植毛面が上記柄を屈曲させることにより形成されていることを特徴とするものである。
【００２０】
請求項７に記載の考案は、請求項４に記載の歯ブラシにおいて、上記傾斜植毛部における上記毛束の植毛面が上記柄を上記毛束の毛先方向に凸状に湾曲させることにより成形されていることを特徴とするものである。
【考案の効果】
【００２１】
請求項１に記載の考案によれば、傾斜植毛部の毛束を、基端側に向けて傾斜させたため、歯の裏側を磨く際に、毛先を歯の裏側に略垂直に接触させることができる。このため、傾斜植毛部を歯の裏側に略垂直に当接させた状態において、柄を長手方向に繰り返し、口腔内と口腔外との方向に交互に移動させることにより、毛の弾性を利用し、歯の裏側を綺麗に磨くことができる。その際、傾斜植毛部よりも他の植毛部が口腔内側に位置するため、他の植毛部に付着している歯磨き粉等が飛び散る恐れがない状態において、快適に歯を磨くことができる。
【００２２】
一方、他の植毛部を歯の表側や頭頂部に接触させることにより、歯の表側等を磨くことができる。このため、傾斜植毛部と他の植毛部との両方に歯磨き粉を付け、他の植毛部の毛束により歯の表側等を磨き、次いで、傾斜植毛部の毛束により歯の裏側を磨くことにより、一本の歯ブラシによって、効率的に全ての歯の表面を磨くことができる。
【００２３】
請求項２に記載の発明によれば、傾斜植毛部を植毛部の長手方向の全長の１／５以上としたため、歯の裏側を磨く際に、傾斜植毛部を歯の頭頂部から歯茎近傍まで充分に接触させることができる。他方、傾斜植毛部を植毛部の長手方向の全長の１／２以下としたため、傾斜植毛部以外の植毛部の毛束を用いて、歯の表側等を効率的に磨くことができる。
【００２４】
その際、傾斜植毛部は、その長手方向の全長が他の植毛部よりも短くなるため、歯の裏側に磨き残しを生じさせないためには、より大きな弾性を付与する必要がある。
この点、請求項３に記載の発明によれば、傾斜植毛部の毛に、他の植毛部の毛よりも剛性をもたせたため、繰り返し柄を長手方向に口腔内と口腔外との方向に交互に移動させることにより、傾斜用毛束の毛の弾性によって毛束を歯の裏側に密着させた状態において、毛束を移動させることができ、その結果、歯の裏側を歯の表側と同等に磨くことができる。
【００２５】
ところで、複数の毛束が基端部に向けて傾斜する傾斜植毛部を形成するためには、植毛面に対して斜めに毛束を植毛する方法があるが、上記植毛面に斜めに穴を穿孔することは、加工上、余分な手間を要する事になる。
この点、請求項４に記載の発明によれば、傾斜植毛部の植毛面を毛束の植毛方向に対して略直角に成形したため、植毛面に対して垂直に穴を穿孔し、毛束を植毛することにより、複数の毛束が基端部に向けて傾斜する傾斜植毛部を形成することができ、柄に対する加工作業を容易にすることができる。
【００２６】
その際、請求項５に記載の発明によれば、上記柄の厚みを漸次上記基端部方向に向けて薄くすることにより、また、請求項６に記載の発明によれば、上記柄を屈曲させることにより、さらに、請求項７に記載の発明によれば、上記柄を上記毛束の毛先方向に凸状に湾曲させることにより、容易に毛束の植毛方向に対して略直角な傾斜植毛部の植毛面を成形することができる。
【００２７】
加えて、請求項６又は７に記載の発明によれば、一旦、植毛部を全長に渡って形成した後に、柄を屈曲或いは湾曲させることにより傾斜植毛部が形成されるため、容易に製造することができる。
【００２８】
また、傾斜植毛部における上記毛束の植毛面を、漸次上記基端部方向に向けて薄くする、すなわち上記先端部方向を漸次厚くする場合と異なり、傾斜植毛部が植毛された柄の厚さを均一に加工することができる。その結果、歯の裏側、奥歯や歯の隙間を磨く場合に、口腔内において傾斜植毛部が植毛された柄の厚さがに邪魔になり、植毛部を狭い箇所に入れられずに、一部歯垢や食べ滓が残ってしまうことを防止できる。特に、歯の裏側を磨く際に、口腔内に肉厚の柄が存在することにより、歯ブラシの移動が制約されることを防止し、効率的に歯を磨くことができる。
【００２９】
さらに加えて、請求項７に記載の発明によれば、傾斜植毛部における上記毛束の植毛面を上記毛束の毛先方向に湾曲させたため、歯の裏側を磨く際に、口腔内に入れる歯ブラシ本体の角度を意識しなくても、いずれかの毛が歯の裏側に当接し、歯磨きによる洗浄効果を得ることができる。この結果、短時間にて、慌てて歯磨きをする場合や、疲労により無意識に歯磨きをする場合にも、歯の裏側を容易に磨くことができる。
【考案を実施するための最良の形態】
【００３０】
以下、本考案に係る２種類の歯ブラシについて、図１ないし図６を用いて説明する。
【００３１】
まず、本実施形態の第１の歯ブラシは、図１及び図２（ａ）（ｂ）に示すように、略直線状に伸びる柄１と、この柄１の先端部ｂに植毛された複数の毛束３からなる植毛部２とから概略構成されており、この柄１の基端部ａが把持部１０とされている。
【００３２】
この植毛部２は、上記柄１の基端部ａ側に植毛されるとともに、上記基端部ａに向けて傾斜する複数の毛束３からなる傾斜植毛部２１と、この傾斜植毛部２１よりも上記柄１の先端部ｂ側に植毛されるとともに、上記柄１に対して垂直に植毛された複数の毛束３からなる垂直植毛部２２とから構成されている。
また、この傾斜植毛部２１は、その長手方向の長さが、植毛部２の長手方向の全長に対し、１／５以上であって、かつ１／２以下の範囲に形成されている。
【００３３】
これは、傾斜植毛部２１が１／５未満である場合には、傾斜植毛部２１の長手方向の長さが短く、毛束３の量が少なすぎるために、毛束３が歯の裏側の歯茎近傍まで接触しない上に、歯の裏側に接触させにくく、歯の裏側が全体的に磨きにくくなってしまうためである。他方、傾斜植毛部２１が１／２を超えた場合には、垂直植毛部２２の長手方向の長さが短く、垂直植毛部２２を構成する複数の毛束３が歯の表面に一度に接触する接触面積が小さくなってしまい、全部の歯を磨くのに時間が掛かってしまうためである。
【００３４】
この傾斜植毛部２１及び垂直植毛部２２を構成する複数の毛束３は、それぞれ複数のフィラメントから構成されており、このフィラメントとしては、例えば、ポリブチレンテレフタレート（ＰＢＴ）、ポリエチレンテレフタレート（ＰＥＴ）、ポリアミド、ポリプロピレン（ＰＰ）、ポリ塩化ビニル（ＰＶＣ）、ポリ塩化ビニリデン、ポリウレタンなどの合成樹脂又はこれらの混合物や豚毛などの獣毛等、歯ブラシ用の毛束３を構成するフィラメントとして一般的に使用されるあらゆるものを用いることができる。
【００３５】
特に、上記傾斜植毛部２１の毛束３を構成するフィラメントは、好ましくはポリブチレンテレフタレート（ＰＢＴ）等の硬質のもの、又は短いものを用いることにより垂直植毛部２２の毛束３のフィラメントよりも剛性を有することが望ましい。さらに好ましくは、硬質ものであって、かつ短いものを用いることにより、垂直植毛部２２の毛束３のフィラメントよりも剛性を有することが望ましい。
【００３６】
これは、傾斜植毛部２１は、上述のように、その長手方向の長さが、植毛部２の長手方向の全長に対し、１／５以上であって、かつ１／２以下の範囲に形成されているため、垂直植毛部２２と比較しても、その長手方向の長さが短く、植毛されている毛束３の量が少ないためである。すなわち、傾斜植毛部２１の毛束３を構成する毛は、少ない毛束３を歯の裏側に密着させるために弾性が必要であり、垂直植毛部２１の毛束３を構成する毛よりも剛性を有する必要がある。
【００３７】
また、傾斜植毛部２１は、図２（ａ）に示すように、漸次、基端部ａ側に向けて短い毛束３を用いて形成することも、図２（ｂ）に示すように、略均等の長さの毛束３を用いて形成することも可能である。ここで、両者を比較すると、前者は、毛束３の毛先が歯の裏側に対して略直角に接触する点において後者よりも優れており、後者は、最基端部ａ側の毛束３が他の毛束３と同等の長さを有するため、全ての毛束３が同等の弾性を有し、効率的に歯の裏側を洗浄可能である点において前者よりも優れている。
【００３８】
次に、本発明に係る第１の歯ブラシとして、略均等の長さの毛束３により傾斜植毛部２１が形成された図２（ｂ）の歯ブラシを使用して、歯を磨く際の作用について、図３及び図４を用いて説明する。
まず、手によって把持部１０を把持し、傾斜植毛部２１及び垂直植毛部２２に歯磨き粉を付け、垂直植毛部２２を上の歯の表側に接触させるとともに、手にした把持部１０を繰り返し口腔内と口腔外との方向に交互に移動させつつ、垂直植毛部２２を左或いは右に移動させることにより、上の歯に付着している食べ滓や歯垢等を除去する。同様にして、下の歯に付着している食べ滓や歯垢等を除去する。
【００３９】
次いで、図３に示すように、傾斜植毛部２１を上の歯の裏側に接触させるとともに、手にした把持部１０を繰り返し口腔内と口腔外との方向に交互に移動させつつ、傾斜植毛部２１を左或いは右に移動させることにより、歯の裏側に付着している食べ滓や歯垢等を同等の弾性を有する全ての毛束３を利用して除去する。同様に、図４に示すように、傾斜植毛部２１を下の歯の裏側に接触させるとともに、移動させることにより食べ滓等を除去する。
【００４０】
その際、傾斜植毛部２１は、その長手方向の長さが、植毛部２の長手方向の全長に対し、１／５以上であるため、歯の裏側が歯茎近傍まで磨かれるとともに、その毛束３を構成する毛が剛性を有するため、毛束３が歯に密着して、把持部１０を繰り返し口腔内と口腔外との方向に交互に移動させることにより、歯の裏側についても、表側と同等の洗浄効果が得られる。
【００４１】
他方、図５に示すように、基端部ａ側に向けて短い毛束３により傾斜植毛部２１が形成された図２（ａ）の歯ブラシを使用して、歯を磨く際には、上述の場合と同様に、上の歯及び下の歯を磨いた後に、傾斜植毛部２１を上の歯の裏側に接触させる。次いで、手にした把持部１０を繰り返し口腔内と口腔外との方向に交互に移動させつつ、傾斜植毛部２１を左或いは右に移動させることによって、毛束３の毛先が歯の裏側に対して略直角に接触し、歯の裏側に付着している食べ滓等を除去する。同様に、傾斜植毛部２１を上の歯の裏側に接触させ、下の歯の裏側に付着している食べ滓等を除去する。
【００４２】
また、最も歯垢が蓄積しやすい奥歯の裏側を磨く場合には、図６に示すように、傾斜植毛部２１を奥歯の裏側に接触させるとともに、手にした把持部１０を口腔内と口腔外との方向に交互に移動させることにより、奥歯の裏側に付着している食べ滓等が除去可能である。
【００４３】
上述のように、垂直植毛部２２と傾斜植毛部２１とを利用し、歯を磨き終わったところで、植毛部２を口腔外に出し、水でうがいをするとともに、歯ブラシを洗浄することにより、歯磨きが終了する。
【００４４】
次に、本発明に係る第２の歯ブラシについて、図２（ｃ）〜（ｅ）を用いて説明する。
本実施形態に係る第２の歯ブラシは、傾斜植毛部２１の植毛面１１が、傾斜植毛部２１の植毛方向に対して略直角になるように傾斜している点において、第１の歯ブラシと異なっている。なお、垂直植毛部２２の植毛面１２は、把持部１０と略平行に成形されている。
【００４５】
この植毛面１１は、図２（ｃ）に示すように、漸次、柄１の厚みを基端部ａに向けて薄くすることにより成形され、図２（ｄ）に示すように、柄１を垂直植毛部２２の毛先と傾斜植毛部２１の毛先とが離間する方向に屈曲させることにより成形され、或いは図２（ｅ）に示すように、柄１を毛先の方向に湾曲させることにより成形される。
【００４６】
ここで、図２（ｃ）に示すように、漸次、柄１の厚みを基端部ａに向けて薄くする場合には、植毛面１１が傾斜植毛部２１の毛束３の植毛方向に対して直角に傾斜しているため、植毛面１１に対して直角に複数の穴を穿孔し、これらの穴に複数の毛束３を植毛する。これにより、柄１の植毛面１１に植毛された複数の毛束３が基端部ａに向けて傾斜し、傾斜植毛部２１が形成される。
【００４７】
換言するに、毛束３を基端部ａに向けて傾斜させるために、植毛面１１に対して斜めに穿孔するには、加工上余分な手間を要するものであった。ところが、予め毛束３の植毛方向を定め、この植毛方向に直角に植毛面１１を成形することにより、植毛面１１に対して直角に複数の穴を穿孔し、これらの穴にそれぞれ毛束３を植毛することによって傾斜植毛部２１が形成され、柄１に対する加工作業が容易になる。
【００４８】
また、図２（ｄ）に示すように、柄１を垂直植毛部２２の毛先と傾斜植毛部２１の毛先とが離間する方向に屈曲させる場合には、直線上の柄１の先端部ｂに植毛部２を形成する。次いで、柄１を、把持部１０と植毛面１１との境界において植毛面１１側が毛先方向に移動するように屈曲させる。また、植毛部２の長手方向の全長の１／５〜１／２の範囲において予め設定した範囲を植毛面１１とするとともに、植毛面１２側の柄１を、植毛面１１と植毛面１２との境界において互いの毛先が離間し、かつ把持部１０と平行になるように屈曲させることにより、植毛面１１に対して直角に複数の毛束３が植毛された傾斜植毛部２１と垂直植毛部２２とが形成される。
【００４９】
さらに、図２（ｅ）に示すように、柄１を毛先の方向に湾曲させる場合には、直線上の柄１の先端部ｂに植毛部２を形成する。次いで、柄１を、植毛面１１側が毛先の方向に向けて移動するように湾曲させるとともに、植毛面１２が把持部１０と平行になるように成形することにより、植毛面１１に対して直角に複数の毛束３が植毛された傾斜植毛部２１と垂直植毛部２２とが形成される。
【００５０】
特に、図２（ｄ）（ｅ）に示すように、柄１を垂直植毛部２２の毛先と傾斜植毛部２１の毛先とが離間する方向に屈曲させる場合又は柄１を毛先の方向に湾曲させる場合には、図２（ｃ）に示すように、漸次、柄１の厚みを基端部ａに向けて薄くする場合と異なり、漸次、柄１の厚みを先端部ｂに向けて厚くする必要がなく、傾斜植毛部２１の柄１の厚みを均一に設計することが可能となる。
【００５１】
また、柄１を垂直植毛部２２の毛先と傾斜植毛部２１の毛先とが離間する方向に屈曲させる場合又は柄１を毛先の方向に湾曲させる場合には、上述のように、一旦、植毛部２を全長に渡って形成した後、すなわち植毛面１１及び植毛面１２に同時に複数の毛束３を植毛した後に、柄１の植毛面１１と植毛面１２との境界等を屈曲又は植毛面１１を湾曲させる。このため、漸次、柄１の厚みを基端部ａに向けて薄くする場合と異なり、傾斜植毛部２１と垂直植毛部２２とを別々に形成する必要がなく、製造工程数が減少し、製造法的にも有利である。
【００５２】
なお、傾斜植毛部２１及び垂直植毛部２２のそれぞれの毛束３を構成するフィラメントや、傾斜植毛部２１のフィラメントが剛性を有する点等については、第１の歯ブラシと同様である。
【００５３】
次に、上述の第２の歯ブラシを用いて、歯を磨く際の作用について説明する。
まず、手によって把持部１０を把持し、傾斜植毛部２１及び垂直植毛部２２に歯磨き粉を付け、垂直植毛部２２を歯に接触させるとともに、手にした把持部１０を繰り返し口腔内と口腔外との方向に交互に移動させつつ、垂直植毛部２２を左或いは右に移動させることにより、歯に付着している食べ滓や歯垢等を除去する。
【００５４】
次いで、傾斜植毛部２１を歯の裏側に接触させるとともに、手にした把持部１０を繰り返し口腔内と口腔外との方向に交互に移動させつつ、垂直植毛部２２を左或いは右に移動させることにより、歯の裏側に付着している食べ滓や歯垢等を除去する。
【００５５】
その際、傾斜植毛部２１の柄１の厚みが長手方向に均一に設計されている場合には、植毛部２の柄１の厚みが口腔内で邪魔になることがなく、より狭い場所にも傾斜植毛部２１が入り込めるため、より確実に歯の裏側、奥歯や歯の隙間等に付着している食べ滓等が除去される。
【００５６】
また、傾斜植毛部２１が毛先の方向に柄１を湾曲させることにより成形されている場合（図２（ｅ）参照）には、歯の裏側を磨く際に、口腔内に入れる歯ブラシ本体の角度を意識しなくても、いずれかの毛が歯の裏側に当接するため、短時間にて、慌てて歯磨きをする場合や、疲労により無意識に歯磨きをする場合にも、より確実に食べ滓等が除去される。
【００５７】
次いで、垂直植毛部２２と傾斜植毛部２１とを利用し、歯を磨き終わったところで、植毛部２を口腔外に出し、水でうがいをするとともに、歯ブラシを洗浄することにより、歯磨きが終了する。
【００５８】
上述の歯ブラシによれば、傾斜植毛部２１の毛を、基端部ａに向けて傾斜させたため、歯の裏側を磨く際に、毛先を歯の裏側に略直角に接触させることができる。このため、傾斜植毛部２１を歯の裏側に略直角に当接させた状態において、把持部１０を長手方向に繰り返し、口腔内と口腔外との方向に交互に移動させることにより、毛の弾性を利用し、歯の裏側を綺麗に磨くことができる。その際、傾斜植毛部２１よりも垂直植毛部２２が口腔内側に位置するため、垂直植毛部２２に付着している歯磨き粉等が飛び散る恐れがない状態において、快適に歯を磨くことができる。
【００５９】
一方、垂直植毛部２２を歯の表側等に接触させることにより、歯の表側等を磨くことができるため、傾斜植毛部２１と垂直植毛部２２との両方に歯磨き粉を付け、垂直植毛部２２の毛束３により歯の表側等を磨き、次いで、傾斜植毛部２１の毛束３により歯の裏側を磨くことにより、一本の歯ブラシによって、効率的に全ての歯の表面を磨くことができる。
【図面の簡単な説明】
【００６０】
【図１】本考案に係る第１の歯ブラシを示す斜視図である。
【図２】本考案に係る歯ブラシを示す縦断面図であり、（ａ）及び（ｂ）は、第１の歯ブラシであり、（ｃ）（ｄ）及び（ｅ）は、第２の歯ブラシである。
【図３】図２（ｂ）に示す歯ブラシを用いて、上の歯の裏側を磨く際の口腔内の縦断面図であって、歯ブラシの使用状態の説明図である。
【図４】図２（ｂ）に示す歯ブラシを用いて、下の歯の裏側を磨く際の口腔内の縦断面図であって、歯ブラシの使用状態の説明図である。
【図５】図２（ａ）に示す歯ブラシを用いて、上の歯の裏側を磨く際の口腔内の縦断面図であって、歯ブラシの使用状態の説明図である。
【図６】図２（ａ）に示す歯ブラシを用いて、奥歯の裏側を磨く際の口腔内の平面図であって、歯ブラシの使用状態の説明図である。
【図７】従来の歯ブラシを示す側面図である。
【図８】図６に示す歯ブラシを用いて、上の歯の裏側を磨く際の口腔内の縦断面図であって、歯ブラシの使用状態の説明図である。
【符号の説明】
【００６１】
ａ  基端部
ｂ  先端部
１  柄
２  植毛部
１０  把持部
２１  傾斜植毛部
【図１】
0003121238.tif 000003
【図２】
0003121238.tif 000004
【図３】
0003121238.tif 000005
【図４】
0003121238.tif 000006
【図５】
0003121238.tif 000007
【図６】
0003121238.tif 000008
【図７】
0003121238.tif 000009
【図８】
0003121238.tif 000010